【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
加熱混錬溶融した成形材料を、固定側の光学素子成形型と可動側の光学素子成形型により形成されたキャビティ内に射出充填し、光学素子を成形する光学素子成形型であって、
前記固定側の光学素子成形型は光学素子面を有するインサートと、前記インサートと連接して配置されたスペーサと、前記インサートと前記スペーサを収納するためのブロックとバックプレートを有し、
前記可動側の光学素子成形型は光学素子面を有するインサートと、前記インサートと連接して配置されたスペーサと、前記インサートと前記スペーサを収納するためのブロックとバックプレートを有し、
前記固定側の光学素子成形型と可動側の光学素子成形型の少なくとも一方の成形型のインサート及び／またはスペーサを、前記可動側の光学素子成形型の可動方向を軸として、複数の回転位置で位置決め可能に構成したことを特徴とする光学素子成形型。
【請求項２】
前記インサート及び／またはスペーサの複数の回転位置における位置決めを、前記インサートとスペーサにおいて、その一方に設けた複数の位置決め用孔と他方に設けた位置決め用孔とを位置決め用ピンで位置決めし、かつ前記スペーサと前記ブロックとをそのスペーサに設けた複数の位置決め用溝とブロックに設けた位置決め用溝とを位置決め用ピンで位置決めすることにより可能にしたことを特徴とする請求項１に記載の光学素子成形型。
【請求項３】
加熱混錬溶融した成形材料を、固定側の光学素子成形型と可動側の光学素子成形型により形成されたキャビティ内に射出充填し、光学素子を成形する光学素子成形方法であって、
前記固定側の光学素子成形型を構成する光学素子面を有するインサートと、そのインサートとバックプレートとの間に配置されたスペーサと、前記可動側の光学素子成形型を構成する光学素子面を有するインサートと、そのインサートとバックプレートとの間に配置されたスペーサのうち、少なくとも１つを回転させて前記各インサートの光学素子面により成形される光学素子の光学特性を制御した後、前記各インサートとスペーサの回転位置を位置決めして光学素子を成形することを特徴とする光学素子成形方法。
【請求項４】
請求項１もしくは請求項２に記載の光学素子成形型を利用して、又は請求項３に記載の光学素子成形方法により成形された光学素子。
【手続補正２】
【補正対象書類名】明細書
【補正対象項目名】００１２
【補正方法】変更
【補正の内容】
【００１２】
本発明の光学素子成形型は、加熱混錬溶融した成形材料を、固定側の光学素子成形型と可動側の光学素子成形型により形成されたキャビティ内に射出充填し、光学素子を成形する光学素子成形型であって、前記固定側の光学素子成形型は光学素子面を有するインサートと、前記インサートと連接して配置されたスペーサと、前記インサートと前記スペーサを収納するためのブロックとバックプレートを有し、前記可動側の光学素子成形型は光学素子面を有するインサートと、前記インサートと連接して配置されたスペーサと、前記インサートと前記スペーサを収納するためのブロックとバックプレートを有し、前記固定側の光学素子成形型と可動側の光学素子成形型の少なくとも一方の成形型のインサート及び／またはスペーサを、前記可動側の光学素子成形型の可動方向を軸として、複数の回転位置で位置決め可能に構成したものである。
【手続補正３】
【補正対象書類名】明細書
【補正対象項目名】００１８
【補正方法】変更
【補正の内容】
【００１８】
また、本発明の光学素子成形方法は、加熱混錬溶融した成形材料を、固定側の光学素子成形型と可動側の光学素子成形型により形成されたキャビティ内に射出充填し、光学素子を成形する光学素子成形方法であって、前記固定側の光学素子成形型を構成する光学素子面を有するインサートと、そのインサートとバックプレートとの間に配置されたスペーサと、前記可動側の光学素子成形型を構成する光学素子面を有するインサートと、そのインサートとバックプレートとの間に配置されたスペーサのうち、少なくとも１つを回転させて前記各インサートの光学素子面により成形される光学素子の光学特性を制御した後、前記各インサートとスペーサの回転位置を位置決めして光学素子を成形することを特徴とする。
【手続補正４】
【補正対象書類名】明細書
【補正対象項目名】００２１
【補正方法】変更
【補正の内容】
【００２１】
また、前記インサートの光学素子面に、非点収差を発生させる軸非対象面形状を施した光学素子成形型を用いて成形する手段を用いる。
さらに、上記光学素子成形型または成形方法により成形された光学素子を特徴とする。
【手続補正５】
【補正対象書類名】明細書
【補正対象項目名】００２７
【補正方法】変更
【補正の内容】
【００２７】
【発明の実施の形態】
本発明者らは、光学素子を光学素子成形型で成形する際に、光学素子の光学素子面を有したインサートや、インサートと連接して配置されるスペーサを、光学素子成形型の可動方向を軸として、回転させて位置決めして配置することにより、得られる光学素子の光学特性が変化することを見出し、本発明を完成した。
【手続補正６】
【補正対象書類名】明細書
【補正対象項目名】００３３
【補正方法】変更
【補正の内容】
【００３３】
（実施の形態１）
図１は、本実施の形態に関わる光学素子成形型の形状を示した概略断面図、図２は本実施の形態に関わる光学素子成形型の部品の形状を示した詳細図であり、図２（ａ）は固定側インサートの詳細図、図２（ｂ）は固定側スペーサの詳細図、図２（ｃ）は固定側インサート−スペーサ位置決め用ピンの詳細図、図２（ｄ）は固定側スペーサ−ブロック位置決め用ピン、図３（ｅ）は固定側インサートの詳細図、図３（ｆ）は固定側スペーサの詳細図、図３（ｇ）は可動側インサートの詳細図、図３（ｈ）は可動側ブロックのインサート収納部分の部分詳細図である。
【手続補正７】
【補正対象書類名】明細書
【補正対象項目名】００３４
【補正方法】変更
【補正の内容】
【００３４】
図１、図２、及び図３において、１は光学素子、２はゲート、３はランナの一部、４はスプル、５は固定側の光学素子成形型、５ａは固定側ブロック、５ｂは固定側バックプレート、６は固定側インサート、６ａは固定側インサート位置決め用孔、６ｂは固定側インサート光学素子面、７は固定側インサート−スペーサ位置決め用ピン、８は固定側スペーサ、８ａは固定側スペーサ−ブロック位置決め用溝、８ｂは固定側スペーサ−インサート位置決め用孔、９は固定側スペーサ−ブロック位置決め用ピン、１０は可動側の光学素子成形型、１０ａは可動側ブロック、１０ｂは可動側バックプレート、１０ｃは可動側インサート−ブロック位置決め溝、１１は可動側インサート、１１ａは可動側インサート位置決め用孔、１２は可動側インサート−ブロック位置決め用ピン、１３は可動側スペーサ、１３ａは可動側スペーサ−ブロック位置決め用溝、１４は可動側スペーサ−ブロック位置決め用ピンである。ここでいうインサートの光学素子面とは、光学素子に要求される光学特性を生み出すために必要な光学作用面を含んだ面のことで光線の経路になる面である。
【手続補正８】
【補正対象書類名】明細書
【補正対象項目名】００３９
【補正方法】変更
【補正の内容】
【００３９】
なお、光学素子の取り出し工程などに応じて、固定側の光学素子成形型５の構成を、可動側の光学素子成形型１０の構成にしても、可動側の光学素子成形型１０の構成で、固定側の光学素子成形型５を構成しても構わない。
【手続補正９】
【補正対象書類名】明細書
【補正対象項目名】００４３
【補正方法】変更
【補正の内容】
【００４３】
このようにして、射出成形条件（射出条件、充填条件、保圧条件、成形型温度条件など）や、ランナやゲートの形状などを検討し、光学特性が、もっとも良好で、安定する成形条件を抽出し、最適な条件を得た結果、各キャビティで得られる光学特性、すなわち、各収差が、（表１）のようになった。
【手続補正１０】
【補正対象書類名】明細書
【補正対象項目名】００６４
【補正方法】変更
【補正の内容】
【００６４】
また、本発明は、たとえば、インサートのみを回転する構成、スペーサのみを回転する構成、固定側のみ回転する構成、可動側のみを回転する構成でも構わない。
【手続補正１１】
【補正対象書類名】明細書
【補正対象項目名】００６８
【補正方法】変更
【補正の内容】
【００６８】
【発明の効果】
以上のように本発明の光学素子成形型及び光学素子成形方法によれば、各成形型部材が成形を繰り返すうちに移動したりして、同一キャビティで得られる光学素子の性能にばらつきが生じたりすることがなく、また、成形型の各部材の加工誤差、各部材の組み立て誤差や接触状態や成形条件などから生じる温度、圧力分布など複合的な誤差が及ぼす光学素子の光学特性への悪影響をよりなくすことが可能となり、これにより、複数の光学素子成形型によって複数の光学素子を同時成形するものでは、各光学素子成形型のキャビティの全てから良好な光学特性を有した光学素子を得ることが可能となり、光学素子をより安定に、高精度に、高歩留まりに提供できる。
【手続補正１２】
【補正対象書類名】明細書
【補正対象項目名】符号の説明
【補正方法】変更
【補正の内容】
【符号の説明】
１  光学素子
２  ゲート
３  ランナ
４  スプル
５、１０  光学素子成形型
５ａ  固定側ブロック
５ｂ  固定側バックプレート
６  固定側インサート
６ａ  固定側インサート位置決め用孔
６ｂ  固定側インサート光学素子面
７  固定側インサート−スペーサ位置決め用ピン
８  固定側スペーサ
８ａ  固定側スペーサ−ブロック位置決め用溝
８ｂ  固定側スペーサ−インサート位置決め用孔
９  固定側スペーサ−ブロック位置決め用ピン
１０ａ  可動側ブロック
１０ｂ  可動側バックプレート
１０ｃ  可動側インサート−ブロック位置決め溝
１１  可動側インサート
１１ａ  可動側インサート位置決め用孔
１２  可動側インサート−ブロック位置決め用ピン
１３  可動側スペーサ
１３ａ  可動側スペーサ−ブロック位置決め用溝
１４  可動側スペーサ−ブロック位置決め用ピン
１５  ホッパ
１６  成形材料
１７  射出シリンダ
１８  加熱シリンダ
１９  スクリュ
２０  ノズル
２１  固定ダイプレート
２２  移動ダイプレート
２３  型締めシリンダ
【手続補正１３】
【補正対象書類名】図面
【補正対象項目名】図１
【補正方法】変更
【補正の内容】
【図１】
2004284116.tif 000001